(57)【特許請求の範囲】
【請求項１】
USBユニットと、USBドライブユニットと、Ethernetドライブユニットと、Ethernetユニットとを有するEthernetベースであって、
前記USBユニットは、3Gルータにより送信されたUSBフォーマットの第１のサービスデータを受信するように構成され、
前記USBドライブユニットは、前記USBフォーマットの前記第１のサービスデータをEthernetフォーマットの第２のサービスデータに変換するように構成され、前記USBユニットがUSBホストデバイスのハードウェア時系列機能を実現できるように、前記USBユニットでのソフトウェア構成を実行するように更に構成され、
前記Ethernetドライブユニットは、前記Ethernetフォーマットの前記第２のサービスデータを前記Ethernetユニットに送信するように構成され、
前記Ethernetユニットは、前記Ethernetフォーマットの前記第２のサービスデータを固定ネットワークルータに送信するように構成され、
前記USBドライブユニットは、シリアルインタフェースと、Ethernetネットワークカードとを有し、
前記シリアルインタフェースは、制御シグナリングを流すように構成され、
前記Ethernetネットワークカードは、サービスデータを流すように構成され、
前記制御シグナリングは、デバイスを識別するシグナリングを有し、Ethernetインタフェースの機能がローカルエリアネットワークの機能であるか広域ネットワークの機能であるかを判断する、Ethernetベース。
【請求項２】
前記Ethernetユニットは、前記固定ネットワークルータにより送信された前記Ethernetフォーマットの第３のサービスデータを受信するように更に構成され、
前記Ethernetドライブユニットは、前記Ethernetフォーマットの前記第３のサービスデータを前記USBフォーマットの第４のサービスデータに変換するように更に構成され、
前記USBドライブユニットは、前記USBフォーマットの前記第４のサービスデータを前記USBユニットに送信するように更に構成され、
前記USBユニットは、前記USBフォーマットの前記第４のサービスデータを前記3Gルータに送信するように更に構成される、請求項１に記載のEthernetベース。
【請求項３】
前記Ethernetベースは、プログラムコードとサービスデータとを格納するように構成された記憶ユニットを更に有する、請求項２に記載のEthernetベース。
【請求項４】
無線インターネットアクセス端末と、3Gルータと、Ethernetベースと、固定ネットワークルータとを有するネットワークシステムであって、
前記無線インターネットアクセス端末は、無線ローカルエリアネットワークを通じて前記3Gルータに接続され、前記3Gルータは、USBインタフェースを通じて前記Ethernetベースに接続され、前記Ethernetベースは、Ethernet回線を通じて前記固定ネットワークルータに接続され、
前記無線インターネットアクセス端末は、第１のサービスデータを前記3Gルータに伝送し、
前記3Gルータは、前記第１のサービスデータにおいてルート転送及びネットワークアドレス変換を実行し、前記USBインタフェースを通じてUSBフォーマットの第１のサービスデータを前記Ethernetベースに送信し、
前記Ethernetベースは、USBユニットと、USBドライブユニットと、Ethernetドライブユニットと、Ethernetユニットとを有し、
前記USBユニットは、前記3Gルータにより送信された前記USBフォーマットの前記第１のサービスデータを受信するように構成され、
前記USBドライブユニットは、前記USBフォーマットの前記第１のサービスデータをEthernetフォーマットの第２のサービスデータに変換するように構成され、前記USBユニットがUSBホストデバイスのハードウェア時系列機能を実現できるように、前記USBユニットでのソフトウェア構成を実行するように更に構成され、
前記Ethernetドライブユニットは、前記Ethernetフォーマットの前記第２のサービスデータを前記Ethernetユニットに送信するように構成され、
前記Ethernetユニットは、前記Ethernetフォーマットの前記第２のサービスデータを前記固定ネットワークルータに送信するように構成され、
前記USBドライブユニットは、シリアルインタフェースと、Ethernetネットワークカードとを有し、
前記シリアルインタフェースは、制御シグナリングを流すように構成され、
前記Ethernetネットワークカードは、サービスデータを流すように構成され、
前記制御シグナリングは、デバイスを識別するシグナリングを有し、Ethernetインタフェースの機能がローカルエリアネットワークの機能であるか広域ネットワークの機能であるかを判断する、ネットワークシステム。
【請求項５】
前記Ethernetユニットは、前記固定ネットワークルータにより送信された前記Ethernetフォーマットの第３のサービスデータを受信するように更に構成され、
前記Ethernetドライブユニットは、前記Ethernetフォーマットの前記第３のサービスデータを前記USBフォーマットの第４のサービスデータに変換するように更に構成され、
前記USBドライブユニットは、前記USBフォーマットの前記第４のサービスデータを前記USBユニットに送信するように更に構成され、
前記USBユニットは、前記USBフォーマットの前記第４のサービスデータを前記3Gルータに送信するように更に構成される、請求項４に記載のネットワークシステム。
【請求項６】
前記Ethernetベースは、プログラムコードとサービスデータとを格納するように構成された記憶ユニットを更に有する、請求項５に記載のネットワークシステム。
【請求項７】
無線インターネットアクセス端末により、無線ローカルエリアネットワークを通じて第１のサービスデータを3Gルータに伝送するステップと、
前記3Gルータにより、前記第１のサービスデータにおいてルート転送及びネットワークアドレス変換を実行し、USBインタフェースを通じてUSBフォーマットの第１のサービスデータをEthernetベースに送信するステップと、
前記Ethernetベースにより、前記USBフォーマットの前記第１のサービスデータをEthernetフォーマットの第２のサービスデータに変換し、前記Ethernetベースにより、USBユニットがUSBホストデバイスのハードウェア時系列機能を実現できるように、USBユニットでのソフトウェア構成を実行するステップと、
前記Ethernetベースにより、前記Ethernetフォーマットの前記第２のサービスデータを固定ネットワークルータに送信するステップと、を有し、
前記Ethernetベースにより、デバイスを識別し、また、Ethernetインタフェースの機能がローカルエリアネットワークの機能であるか広域ネットワークの機能であるかを判断する、データ転送方法。
【請求項８】
前記固定ネットワークルータにより、インターネットから第３のサービスデータを受信し、前記Ethernetフォーマットの第３のサービスデータを前記Ethernetベースに送信するために、前記第３のサービスデータにおいてルート転送及びネットワークアドレス変換を実行するステップと、
前記Ethernetベースにより、前記Ethernetフォーマットの前記第３のサービスデータを前記USBフォーマットの第４のサービスデータに変換し、前記USBフォーマットの前記第４のサービスデータを前記3Gルータに送信するステップと、
前記3Gルータにより、前記USBフォーマットの前記第４のサービスデータにおいてネットワークアドレス変換を実行し、前記USBフォーマットの前記第４のサービスデータを前記無線インターネットアクセス端末にルーティングするステップとを更に有する、請求項７に記載のデータ転送方法。
【発明の詳細な説明】
【技術分野】
【０００１】
本発明は、通信技術の分野に関し、特にEthernet（登録商標）ベース（Ethernet  base）、ネットワークシステム及びデータ転送方法に関する。
【背景技術】
【０００２】
ポータブル3G（第三世代、第３世代移動通信技術）ルータは、便利であり、小型であり、精巧であるという特徴を有し、持ち運びが便利であり、いつでもどこでもインターネットにアクセスするというユーザの需要を満たすことができ、更に広く適用されている。しかし、あまりにも多くオペレータの3G帯域幅を占有するという問題も存在する。家庭及び会社のような固定ネットワークアクセスリソースが存在する適用場面では、ユーザのネットワークトラヒックが3Gから固定ネットワークルータに切り替えられることができれば、アクセスレートが増加できるだけでなく、オペレータの3Gネットワークのトラヒックも共有できる。
【発明の概要】
【発明が解決しようとする課題】
【０００３】
従来技術では、ユニバーサルシリアルバス（Universal  Serial  BUS、以下ではUSBと呼ぶ）対Ethernetチップ（USB  to  Ethernet  chip）は、Ethernetベース（Ethernet  base）を設計するために採用されており、Ethernetベースは、クライアントに固定ネットワークアクセス機能を提供するためのポータブル3Gルータのアクセサリとして使用される。特別な用途では、Ethernetベースは、USBインタフェースを通じてポータブル3Gルータに接続され、Ethernet回線を通じて固定ネットワークルータに接続された後に、ユーザのネットワークトラヒックを3Gから固定ネットワークルータに切り替えることができる。
【０００４】
現在では、ポータブル3GルータのUSBは、PCマシンのUSBホスト（ホストデバイス）インタフェースと適合するように、一般的にUSBスレーブ（スレーブデバイス）インタフェースを採用している。しかし、既存のEthernetベースで使用されるUSB対Ethernetチップは、一般的にUSBスレーブ（スレーブデバイス）インタフェースを採用するため、既存のUSBをEthernetチップに適合させるように3GルータのUSBをUSBホストに変換するためのソフトウェアが必要である。更に、3Gポータブル無線ルータはまた、トランシーバのパケットのドライブ（drive）をEthernetネットワークカードのドライブに仮想化するために、USB対Ethernetドライブも提供する必要がある。そして、USBインタフェースとEthernetインタフェースとの間のデータ転送は、3Gポータブル無線ルータにより実現される。従って、ポータブル3Gルータの基本アーキテクチャは変更される必要がある。更に、ベースのUSBはUSBスレーブ機能を実現するため、ベースがUSBインタフェースを通じてポータブル3Gルータとデータ送信を実行する場合、ポータブル3Gルータは、同時に充電できない。従って、ポータブル3Gルータ及びベースは、共に充電インタフェースを追加する必要があり、このことは製品の構造を複雑にし、コストの節約に対して不都合である。
【０００５】
本発明の実施例は、3Gルータの基本アーキテクチャを変更することなく、3Gルータのネットワークトラヒックを固定ネットワークルータに切り替えることができるEthernetベース、ネットワークシステム及びデータ転送方法を提供する。そして、EthernetベースのUSBインタフェースは、データ送信の処理中に3Gルータの充電をサポートする。
【課題を解決するための手段】
【０００６】
本発明の実施例で提供されるEthernetベースは、USBユニットと、USBドライブユニットと、Ethernetドライブユニットと、Ethernetユニットとを含む。USBユニットは、3Gルータにより送信されたUSBフォーマットの第１のサービスデータを受信するように構成され、USBドライブユニットは、USBフォーマットの第１のサービスデータをEthernetフォーマットの第２のサービスデータに変換するように構成され、USBユニットがUSBホストデバイスのハードウェア時系列機能を実現できるように、USBユニットでのソフトウェア構成を実行するように更に構成され、Ethernetドライブユニットは、Ethernetフォーマットの第２のサービスデータをEthernetユニットに送信するように構成され、Ethernetユニットは、Ethernetフォーマットの第２のサービスデータを固定ネットワークルータに送信するように構成される。
【０００７】
本発明の実施例で提供されるネットワークシステムは、無線インターネットアクセス端末と、3Gルータと、Ethernetベースと、固定ネットワークルータとを含む。無線インターネットアクセス端末は、無線ローカルエリアネットワークを通じて3Gルータに接続され、3Gルータは、USBインタフェースを通じてEthernetベースに接続され、Ethernetベースは、Ethernet回線を通じて固定ネットワークルータに接続される。無線インターネットアクセス端末は、第１のサービスデータを3Gルータに伝送し、3Gルータは、第１のサービスデータにおいてルート転送及びネットワークアドレス変換を実行し、USBインタフェースを通じてUSBフォーマットの第１のサービスデータをEthernetベースに送信する。Ethernetベースは、USBユニットと、USBドライブユニットと、Ethernetドライブユニットと、Ethernetユニットとを含む。USBユニットは、3Gルータにより送信されたUSBフォーマットの第１のサービスデータを受信するように構成され、USBドライブユニットは、USBフォーマットの第１のサービスデータをEthernetフォーマットの第２のサービスデータに変換するように構成され、USBユニットがUSBホストデバイスのハードウェア時系列機能を実現できるように、USBユニットでのソフトウェア構成を実行するように更に構成され、Ethernetドライブユニットは、Ethernetフォーマットの第２のサービスデータをEthernetユニットに送信するように構成され、Ethernetユニットは、Ethernetフォーマットの第２のサービスデータを固定ネットワークルータに送信するように構成される。
【０００８】
本発明の実施例で提供されるデータ転送方法は、無線インターネットアクセス端末により、無線ローカルエリアネットワークを通じて第１のサービスデータを3Gルータに伝送するステップと、3Gルータにより、第１のサービスデータにおいてルート転送及びネットワークアドレス変換を実行し、USBインタフェースを通じてUSBフォーマットの第１のサービスデータをEthernetベースに送信するステップと、Ethernetベースにより、USBフォーマットの第１のサービスデータをEthernetフォーマットの第２のサービスデータに変換し、Ethernetベースにより、USBユニットがUSBホストデバイスのハードウェア時系列機能を実現できるように、USBユニットでのソフトウェア構成を更に実行するステップと、Ethernetベースにより、Ethernetフォーマットの第２のサービスデータを固定ネットワークルータに送信するステップとを含む。
【発明の効果】
【０００９】
本発明の実施例で提供されるEthernetベース、ネットワークシステム及びデータ転送方法は、以下の有利な効果を有する。
【００１０】
家庭及び会社のように固定ネットワークアクセスリソースが存在する適用場面では、Ethernetベースは、ユーザのネットワークトラヒックを3Gネットワークから固定ネットワークルータに切り替えるために3Gルータ（特に、ポータブル3Gルータ）と共に使用される。このことは、アクセスレートが増加させるだけでなく、オペレータの3Gネットワークのトラヒックを共有する。更に、Ethernetベースは、3Gルータの基本アーキテクチャを変更することなく、USBインタフェースとEthernetインタフェースとの間のデータ転送を完了させ、3Gルータのネットワークトラヒックを固定ネットワークルータに切り替えるための、USBインタフェースとEthernetインタフェースとの間のブリッジ機能をサポートする。更に、ベースのUSBはUSBホスト機能を実現し、3GルータのUSBはUSBスレーブ機能を実現するため、Ethernetベースは、USBインタフェースを通じて3Gルータとデータ送信を実行するのと同時に、3Gルータを充電することができる。
【図面の簡単な説明】
【００１１】
【図１】本発明の第１の実施例によるEthernetベースの概略構成図
【図２】本発明の第２の実施例によるネットワークシステムの概略構成図
【図３】本発明の第３の実施例によるデータ転送方法の概略フローチャート
【図４】本発明の第４の実施例によるデータ転送方法の概略フローチャート
【発明を実施するための形態】
【００１２】
本発明の実施例の技術的対策について、本発明の実施例の添付図面を参照して、以下に明確且つ完全に説明する。明らかに、記載される実施例は、本発明の実施例の全てではなく、単なる一部である。創造的取り組みを行うことなく本発明の実施例に基づいて当業者により得られる全ての他の実施例は、本発明の保護範囲内に入るものとする。
【００１３】
図１を参照すると、図１は、本発明の実施例によるEthernetベースの概略構成図である。
【００１４】
実施例で提供されるEthernetベースは、USBユニット11と、USBドライブユニット12と、Ethernetドライブユニット13と、Ethernetユニット14とを含む。Ethernetベースは、ネットワークトラヒックを3Gネットワークから固定ネットワークルータに切り替えることができる。これは具体的には以下の通りである。
【００１５】
USBユニット11は、3Gルータにより送信されたUSBフォーマットの第１のサービスデータを受信するように構成される。
【００１６】
USBドライブユニット12は、USBフォーマットの第１のサービスデータをEthernetフォーマットの第２のサービスデータに変換するように構成され、USBユニット11がUSBホストデバイス（すなわち、USBホスト）のハードウェア時系列機能（hardware  time  sequence  function）を実現できるように、USBユニット11でのソフトウェア構成を実行するように更に構成される。
【００１７】
Ethernetドライブユニット13は、Ethernetフォーマットの第２のサービスデータをEthernetユニット14に送信するように構成される。
【００１８】
Ethernetユニット14は、Ethernetフォーマットの第２のサービスデータを固定ネットワークルータに送信するように構成される。
【００１９】
更に、本発明の実施例で提供されるEthernetベースは、インターネットバックホールIP（Internet  Protocol（フルネームではProtocol  for  Interconnection  Between  Networksである））データパケットを固定ネットワークから3Gルータに更に転送する。これは具体的には以下の通りである。
【００２０】
Ethernetユニット14は、固定ネットワークルータにより送信されたEthernetフォーマットの第３のサービスデータを受信するように更に構成される。
【００２１】
Ethernetドライブユニット13は、Ethernetフォーマットの第３のサービスデータをUSBフォーマットの第４のサービスデータに変換するように更に構成される。
【００２２】
USBドライブユニット12は、USBフォーマットの第４のサービスデータをUSBユニット11に送信するように更に構成される。
【００２３】
USBユニット11は、USBフォーマットの第４のサービスデータを3Gルータに送信するように更に構成される。
【００２４】
USBドライブユニット12は、シリアルインタフェースと、Ethernetネットワークカードとを含み、シリアルインタフェースは、制御シグナリングを流すように構成され、Ethernetネットワークカードは、サービスデータを流すように構成される。制御シグナリングは、デバイスを識別するシグナリングを含み、Ethernetインタフェースの機能がローカルエリアネットワークの機能であるか広域ネットワークの機能であるかを判断する。サービスデータは、前述の第１のサービスデータと、第２のサービスデータと、第３のサービスデータと、第４のサービスデータとを含み、ネットワークトラヒックデータである。
【００２５】
別の実装方法では、シリアルインタフェース及びEthernetインタフェースは、USBドライブユニット12により仮想化される。シリアルインタフェースは、制御シグナリングを流すように構成され、制御シグナリングは、Ethernetベースと3Gルータとの間での情報交換を実施するように、シリアルインタフェースに基づくATコマンド形式を採用する。制御シグナリングは、デバイスを識別するシグナリングを含み、Ethernetインタフェースの機能がローカルエリアネットワーク（LAN：Local  Area  Network）の機能であるか広域ネットワーク（WAN：Wide  Area  Network）の機能であるか等を判断する。Ethernetインタフェースは、サービスデータを流すように構成され、サービスデータは、前述の第１のサービスデータと、第２のサービスデータと、第３のサービスデータと、第４のサービスデータとを含み、ネットワークトラヒックデータである。
【００２６】
更に、図１に示すように、本発明の実施例で提供されるEthernetベースは、プログラムコードとサービスデータとを格納するように構成された記憶ユニット15を更に含む。
【００２７】
本発明の実施例で提供されるEthernetベースでは、Ethernetインタフェースは、広域ネットワーク又はローカルエリアネットワーク機能をサポートする。Ethernetベースは、USBインタフェースとEthernetインタフェースとの間のブリッジ機能をサポートし、3Gルータから開始されたPPPOE（point-to-point  protocol  over  Ethernet）又はポータブルルータへのホームソリューション（home  solution）を満たす。USBインタフェースは、固定ネットワークの上りリンク機能をサポートするように、ホームソリューションではポータブルルータへの広域ネットワークインタフェースとして機能する。家庭及び会社のように固定ネットワークアクセスリソースが存在する別の適用場面では、Ethernetベースは、ユーザのネットワークトラヒックを3Gネットワークから固定ネットワークルータに切り替えるために3Gルータと共に使用される。このことは、アクセスレートを増加させるだけでなく、オペレータの3Gネットワークのトラヒックを共有する。
【００２８】
以下に、図２を参照して、Ethernetベースが適用可能なネットワークシステムについて詳細に説明する。
【００２９】
図２を参照すると、図２は、本発明の第２の実施例によるネットワークシステムの概略構成図である。
【００３０】
実施例で提供されるネットワークシステムは、無線インターネットアクセス端末21と、3Gルータ22と、Ethernetベース23と、固定ネットワークルータ24とを含む。特に、無線インターネットアクセス端末21は、無線ローカルエリアネットワーク（WLAN：Wireless  Local  Area  Network）を通じて3Gルータ22に接続され、3Gルータ22は、USBインタフェースを通じてEthernetベース23に接続され、Ethernetベース23は、Ethernet回線を通じて固定ネットワークルータ24に接続される。
【００３１】
無線インターネットアクセス端末21は、コンピュータ、携帯電話及びパーソナルデジタルアシスタントのように無線ネットワークカード又はWiFi機能を備えたデバイスを含む。無線インターネットアクセス端末21は、第１のサービスデータを3Gルータ22に伝送し、3Gルータ22は、第１のサービスデータにおいてルート転送及びネットワークアドレス変換を実行し、USBインタフェースを通じてUSBフォーマットの第１のサービスデータをEthernetベース23に送信する。
【００３２】
実施例で提供されるEthernetベース23は、USBユニットと、USBドライブユニットと、Ethernetドライブユニットと、Ethernetユニットとを含み、前述の第１の実施例で提供されるEthernetベースと同様である。ここでは繰り返し説明しない。
【００３３】
実施例で提供されるネットワークシステムでは、無線インターネットアクセス端末のネットワークトラヒックは、3Gネットワークから固定ネットワークルータに切り替えられることができ、インターネットIPデータパケットは、固定ネットワークから3Gルータに転送される。詳細な説明は、図３及び図４を参照して以下に提供される。
【００３４】
図３を参照すると、図３は、本発明の第３の実施例によるデータ転送方法の概略フローチャートである。
【００３５】
第３の実施例では、Ethernetベースは、無線インターネットアクセス端末のネットワークトラヒックを3Gネットワークから固定ネットワークルータに切り替える。これは具体的には以下の通りである。
【００３６】
ステップS31：無線インターネットアクセス端末は、無線ローカルエリアネットワークを通じて第１のサービスデータを3Gルータに伝送する。
【００３７】
具体的には、固定ネットワークルータの動的ホスト構成プロトコル（DHCP：Dynamic  Host  Configuration  Protocol）サーバは、プライベートネットワークのIPアドレスを3Gルータに割り当てる。無線インターネットアクセス端末のIPパケット（すなわち、サービスデータ）は、WLANを通じて3Gルータに伝送される。
【００３８】
ステップS32：  3Gルータは、第１のサービスデータにおいてルート転送及びネットワークアドレス変換（NAT：Network  Address  Translation）を実行し、USBインタフェースを通じてUSBフォーマットの第１のサービスデータをEthernetベースに送信する。
【００３９】
ステップS33：Ethernetベースは、USBフォーマットの第１のサービスデータをEthernetフォーマットの第２のサービスデータに変換し、Ethernetベースは、USBユニットがUSBホストデバイス（すなわち、USBホスト）のハードウェア時系列機能を実現できるように、そのUSBユニットでのソフトウェア構成を更に実行する。
【００４０】
ステップS34：Ethernetベースは、Ethernetフォーマットの第２のサービスデータを固定ネットワークルータに送信する。
【００４１】
固定ネットワークルータは、再び送信元IPアドレスを変更してデータパケットを外部ネットワーク（インターネット）に伝送するために、第２のサービスデータを受信した後にルート転送及びNATを実行する。
【００４２】
図４を参照すると、図４は、本発明の第４の実施例によるデータ転送方法の概略フローチャートである。
【００４３】
第４の実施例では、Ethernetベースは、インターネットIPデータパケットを固定ネットワークから3Gルータに転送する。これは具体的には以下の通りである。
【００４４】
ステップS41：固定ネットワークルータは、インターネットから第３のサービスデータを受信し、第３のサービスデータにおいてルート転送及びネットワークアドレス変換を実行し、Ethernetフォーマットの第３のサービスデータをEthernetベースに送信する。
【００４５】
具体的には、固定ネットワークルータは、インターネットからバックホールデータパケットを受信し、NATルールに従ってEthernetインタフェースを検索し、データパケットを、Ethernetベースに接続されたEthernetインタフェースに転送し、同時にNATルールに従って宛先IPアドレスを変換する。
【００４６】
ステップS42：Ethernetベースは、Ethernetフォーマットの第３のサービスデータをUSBフォーマットの第４のサービスデータに変換し、USBフォーマットの第４のサービスデータを3Gルータに送信する。
【００４７】
ステップS43：3Gルータは、USBフォーマットの第４のサービスデータにおいてネットワークアドレス変換を実行し、USBフォーマットの第４のサービスデータを無線インターネットアクセス端末にルーティングする。
【００４８】
具体的には、USBインタフェースを通じてEthernetベースにより送信されたデータパケットを受信した後に、3Gルータは、再びNATルールに従ってネットワークアドレス変換を実行し、変換された宛先IPアドレスに従ってデータパケットを対応する無線インターネットアクセス端末にルーティングする。
【００４９】
本発明の実施例で提供されるEthernetベースによれば、家庭及び会社のように固定ネットワークアクセスリソースが存在する適用場面では、Ethernetベースは、ユーザのネットワークトラヒックを3Gネットワークから固定ネットワークルータに切り替えるために3Gルータ（特に、ポータブル3Gルータ）と共に使用される。このことは、アクセスレートを増加させるだけでなく、オペレータの3Gネットワークのトラヒックを共有する。更に、Ethernetベースは、3Gルータの基本アーキテクチャを変更することなく、USBインタフェースとEthernetインタフェースとの間のデータ転送を完了させ、ネットワークトラヒックを3Gルータから固定ネットワークルータに切り替えるための、USBインタフェースとEthernetインタフェースとの間のブリッジ機能をサポートする。更に、ベースのUSBはUSBホスト機能を実現し、3GルータのUSBはUSBスレーブ機能を実現するため、Ethernetベースは、USBインタフェースを通じて3Gルータとデータ送信を実行するのと同時に、3Gルータを充電することができる。
【００５０】
前述では、本発明の好ましい実装方法を説明している。当業者は、本発明の原理から逸脱することなく、複数の改善及び変更を更に行うことができ、これらの改善及び変更は、本発明の保護範囲の対象となる点に留意すべきである。
【符号の説明】
【００５１】
11  USBユニット
12  USBドライブユニット
13  Ethernetドライブユニット
14  Ethernetユニット
15  記憶ユニット
21  無線インターネットアクセス端末
22  3Gルータ
23  Ethernetベース
24  固定ネットワークルータ
【図１】
0005552151.tif 000002
【図２】
0005552151.tif 000003
【図３】
0005552151.tif 000004
【図４】
0005552151.tif 000005